(57)【要約】【課題】容易かつ仕上がり良く設置作業を行うことができる施工性に優れたレンジフード、および、その設置方法を提供する。【解決手段】化粧パネル１４は、上部パネル１４Ｕと、これに対して上下にスライド自在に支持された下部パネル１４Ｌとを備え、上部パネル１４Ｕを、本体ハウジング１１における前部上方に位置する上部支持枠１３Ｕに、上方係止手段を介して係止連結し、下部パネル１４Ｌを下方スライドさせて化粧パネル１４の高さを所望の高さに調整して取り付ける。また、下方スライドさせた下部パネル１４Ｌの上部を、支持枠１３の上下中間箇所に設けた下方固定部に、下方係止手段を介して前後方向へ移動不能に係止する。【選択図】図８
2019011894.tif 000002
【特許請求の範囲】
【請求項１】
排気用ファンを内装した本体ハウジングの前部に、前記本体ハウジングの前面及びその上方を覆う化粧パネルを取り付けるレンジフードにおいて、
前記化粧パネルは、上部パネルと、該上部パネルに対して上下にスライド自在な下部パネルとを備え、
前記上部パネルの上部を、前記本体ハウジングの前部上方に設置した上方固定部に、前面から係止及び離脱操作可能に係止する上方係止手段を備え、
前記上方係止手段は、前記上部パネルを、落下不能に前記上方固定部に係止するものであり、
上方固定部に前記上方係止手段を介して係止された上部パネルに対して前記下部パネルをスライド下降させた状態において、下部パネルの上部を、前記本体ハウジングの前方における上下中間部位に設置した下方固定部に係止して、下部パネル上部の前方への移動を阻止する下方係止手段を備える、
ことを特徴とするレンジフード。
【請求項２】
前記上方係止手段は、上方係止片と、該上方係止片が前後方向に挿抜操作される上方連結部とを備え、
前記上方係止片を、前記上部パネル及び前記上方固定部のいずれか一方に備えると共に、前記上方連結部を、前記上部パネル及び前記上方固定部のいずれか他方に備える、
請求項１に記載のレンジフード。
【請求項３】
前記下方係止手段は、下方係止片と、該下方係止片が上下方向に係脱操作される下方連結部とを備え、
前記下方係止片を、前記下部パネル及び前記下方固定部のいずれか一方に備えると共に、前記下方連結部を、前記下部パネル及び前記下方固定部のいずれか他方に備える、
請求項１または２に記載のレンジフード。
【請求項４】
前記本体ハウジングの前部に、高さ調節可能に設置固定される支持枠を備え、
前記支持枠の上部に前記上方固定部が設けられると共に、前記支持枠の上下中間箇所に前記下方固定部が設けられる、
請求項１ないし３のいずれかに記載のレンジフード。
【請求項５】
排気用ファンを内装した本体ハウジングの前部に、前記本体ハウジングの前面及びその上方を覆う化粧パネルを取り付けるレンジフードの設置方法であって、
前記本体ハウジングを壁面に固定し、
上部パネルと該上部パネルに対して上下にスライド自在な下部パネルとを備える前記化粧パネルの前記上部パネルを、前記本体ハウジングの前部上方に位置する上方固定部に、落下不能に支持し、
支持された前記上部パネルに対して前記下部パネルを所定位置まで下方スライドさせるとともに、下方スライドさせた下部パネルの上部を、前記本体ハウジングの前部における上下中間部位に位置する下方固定部にて、前後移動不能に係止支持する、
ことを特徴とするレンジフードの設置方法。
【発明の詳細な説明】
【技術分野】
【０００１】
本発明は、ガスコンロ、電気コンロ、および電磁誘導加熱式クッキングヒータ（ＩＨヒータ）などの加熱調理器具の上方に設置されて、調理中に発生する煙や湯気などの排気を吸い込み捕集して屋外に排出するためのレンジフード、及び、その設置方法に関する。
【背景技術】
【０００２】
レンジフードは、吊り戸棚の間や、吊り戸棚と側壁面との間に設置されることが多く、レンジフード本体の前面に備えた化粧パネルが、吊り戸棚の前面に揃うように、かつ、レンジフードの下端が、吊り戸棚の下端と揃うように取り付けられる。
【０００３】
天井壁と吊り戸棚の下端との寸法は、吊り戸棚の高さによって種々異なるので、この寸法に応じて設置する化粧パネルの高さを変更することになる。そこで、特許文献１では、化粧パネルを、上部パネルと、該上部パネルに対して上下にスライド自在な下部パネルとで構成し、本体ハウジングの前部上方に位置する固定部に上部パネルを前面から係止固定し、この係止固定した上部パネルに対して下部パネルを上下スライド調節することで天井壁との間に化粧パネルを取り付けるようにしている。
【先行技術文献】
【特許文献】
【０００４】
【特許文献１】特開２０１７−９１３７号公報
【発明の概要】
【発明が解決しようとする課題】
【０００５】
上記特許文献１では、本体ハウジングの前部上方に位置する固定部に上部パネルを係止連結した後、下部パネルを下方にスライド下降させるだけで、所望の高さに化粧パネルを調整することができ、高い位置で化粧パネルを上方へスライド操作して調整する必要がなく、また、予め設置すべき化粧パネルの高さを測定して、化粧パネルをスライド操作して調整する必要がなく、手間をかけること少なく、簡単かつ速やかに化粧パネルを取付けることができるものであるが、次のような不具合が発生することがあった。
【０００６】
すなわち、上下スライド自在な化粧パネルのスライド嵌合部位には、製作誤差等による多少のガタが存在しており、固定部に係止支持された上部パネルに対して下部パネルを所定の下方位置までスライド下降させた際に、上部パネルの下部と下部パネルの上部とのスライド嵌合部位に座屈が発生し、上部パネルと下部パネルとが前方に少し屈折してしまい、仕上がりが悪くなることがあった。
【０００７】
そして、このような現象は、上部パネルと下部パネルとの嵌合上下長さが短くなるほど、つまり、上部パネルに対して下部パネルを下方に大きくスライド下降させるほど発生しやすいものであった。
【０００８】
もちろん、上部パネルと下部パネルとの嵌合部位の加工精度を十分高くして、嵌合部位でのガタを極力少なくすることで、上部パネルと下部パネルとの屈折を抑制することが可能であるが、嵌合部位でのガタを少なくすると、施工前に上部パネルと下部パネルとを嵌合しておく操作や、組み付け作業における下部パネルのスライド操作が困難になって、化粧パネル設置作業が手間のかかるものとなる。
【０００９】
本発明は、このような実情に着目してなされたものであって、容易かつ仕上がり良く設置作業を行うことができる施工性に優れたレンジフード、および、その設置方法を提供することを目的とする。
【課題を解決するための手段】
【００１０】
上記課題を解決するために、本発明は、次のように構成している。
【００１１】
（１）本発明のレンジフードは、排気用ファンを内装した本体ハウジングの前部に、前記本体ハウジングの前面及びその上方を覆う化粧パネルを取り付けるレンジフードにおいて、
前記化粧パネルは、上部パネルと、該上部パネルに対して上下にスライド自在な下部パネルとを備え、
前記上部パネルの上部を、前記本体ハウジングの前部上方に設置した上方固定部に、前面から係止及び離脱操作可能に係止する上方係止手段を備え、
前記上方係止手段は、前記上部パネルを、落下不能に前記上方固定部に係止するものであり、
上方固定部に前記上方係止手段を介して係止された上部パネルに対して前記下部パネルをスライド下降させた状態において、下部パネルの上部を、前記本体ハウジングの前方における上下中間部位に設置した下方固定部に係止して、下部パネル上部の前方への移動を阻止する下方係止手段を備える。
【００１２】
本発明によると、上下スライド自在な化粧パネルの上部パネルを、本体ハウジングの前部上方に位置する上方固定部に、上方係止手段を介して係止連結した後、下部パネルを下方にスライド下降させるだけで、所望の高さに化粧パネルを調整することができる。
【００１３】
これによって、高い位置で化粧パネルを上方へスライド操作して調整する必要がなく、また、予め設置すべき化粧パネルの高さを測定し、化粧パネルをスライド操作して、測定した高さに調整する必要がなく、手間をかけること少なく簡単かつ速やかに化粧パネルを取付けることができる。
【００１４】
また、スライド下降させた下部パネルの上部を、前記本体ハウジングの前方における上下中間部位に設置した下方固定部に、下方係止手段を介して係止して、下部パネル上部の前方への移動を阻止するので、上部パネルと下部パネルのスライド嵌合部にガタが存在していても、化粧パネルがその上下中間箇所において前方に屈折することが防止され、上部パネルと下部パネルとが直線状に連なる良好な仕上がりをもたらす。
【００１５】
（２）本発明の好ましい実施態様では、前記上方係止手段は、上方係止片と、該上方係止片が前後方向に挿抜操作される上方連結部とを備え、
前記上方係止片を、前記上部パネル及び前記上方固定部のいずれか一方に備えると共に、前記上方連結部を、前記上部パネル及び前記上方固定部のいずれか他方に備える。
【００１６】
この実施態様によると、上部パネル及び上方固定部のいずれか一方に備えられた上方係止片を、いずれか他方に備えられた上方連結部に挿入することによって、上部パネルが上方固定部に落下不能に係止されるので、ネジなどの連結具や工具を必要とすることなく、簡単な操作で、上部パネルを、落下を阻止した状態で上方固定部に係止連結することができる。上部パネルを上方固定部に係止連結した状態で、この上部パネルに対して下部パネルを下方にスライド下降させるだけで、化粧パネルを所望の高さに容易に調整することができる。また、前記上方係止片を前記上方連結部から抜き出すことによって、上部パネルを上方固定部から離脱させることができる。
【００１７】
（３）本発明の一実施態様では、前記下方係止手段は、下方係止片と、該下方係止片が上下方向に係脱操作される下方連結部とを備え、
前記下方係止片を、前記下部パネル及び前記下方固定部のいずれか一方に備えると共に、前記下方連結部を、前記下部パネル及び前記下方固定部のいずれか他方に備える。
【００１８】
この実施態様によると、上部パネルに対して下部パネルをスライド下降することで、下部パネル及び下方固定部のいずれか一方に備えられた下方係止片を、いずれか他方に備えられた下方連結部に係止して、下部パネル上部の前方への移動を阻止するので、ネジなどの連結具や工具を必要とすることなく、簡単な操作で、化粧パネルがその上下中間部位で前方に屈折することを防止することができる。
【００１９】
（４）本発明の他の実施態様では、前記本体ハウジングの前部に、高さ調節可能に設置固定される支持枠を備え、
前記支持枠の上部に前記上方固定部が設けられると共に、前記支持枠の上下中間箇所に前記下方固定部が設けられる。
【００２０】
この実施態様によると、支持枠を高さ調節して、支持枠の上部を天井壁面や吊り戸棚の側面などに連結することで、厨房奥壁面などに連結支持された本体ハウジングを一層強固に固定支持することができる。かつ、この支持枠を利用して、化粧パネルの上部パネルと下部パネルを所定位置に的確かつ仕上がり良く係止支持することができる。
【００２１】
（５）本発明のレンジフードの設置方法は、排気用ファンを内装した本体ハウジングの前部に、前記本体ハウジングの前面及びその上方を覆う化粧パネルを取り付けるレンジフードの設置方法であって、
前記本体ハウジングを壁面に固定し、
上部パネルと該上部パネルに対して上下にスライド自在な下部パネルとを備える前記化粧パネルの前記上部パネルを、前記本体ハウジングの前部上方に位置する上方固定部に、落下不能に支持し、
支持された前記上部パネルに対して前記下部パネルを所定位置まで下方スライドさせるとともに、下方スライドさせた下部パネルの上部を、前記本体ハウジングの前部における上下中間部位に位置する下方固定部にて、前後移動不能に係止支持する。
【００２２】
本発明によると、上下スライド自在な化粧パネルの上部パネルを、本体ハウジングの前部上方に位置する上方固定部に係止連結した後、下部パネルを下方にスライド下降させるだけで、所望の高さに化粧パネルを調整することができ、高い位置で化粧パネルを上方へスライド操作して調整する必要がなく、また、予め設置すべき化粧パネルの高さを測定して、化粧パネルをスライド操作して調整する必要がなく、手間をかけること少なく簡単かつ速やかに化粧パネルを取付けることができる。
【００２３】
しかも、スライド下降させた下部パネルの上部を、前記本体ハウジングの前方における上下中間部位に設置した下方固定部に係止して、下部パネル上部の前方への移動を阻止するので、上部パネルと下部パネルのスライド嵌合部にガタが存在していても、化粧パネルがその上下中間箇所において前方に屈折することが防止され、上部パネルと下部パネルとが直線状に連なる良好な仕上がりを得ることができる。
【発明の効果】
【００２４】
このように、本発明によれば、本体ハウジングの前面及びその前面を覆う化粧パネルを簡単迅速、かつ、仕上がり良く取付けることができ、レンジフード設置作業を容易に行うことが可能となる。
【図面の簡単な説明】
【００２５】
【図１】レンジフードを備えたシステムキッチンの一形態を示す概略正面図である。
【図２】レンジフードの斜視図である。
【図３】化粧パネルを分解したレンジフードの斜視図である。
【図４】化粧パネルの装着途中のレンジフードの斜視図である。
【図５】左側の支持枠を分解した斜視図である。
【図６】化粧パネルを分解した斜視図である。
【図７】化粧パネルの装着工程を示す斜視図である。
【図８】化粧パネルの装着工程を示す斜視図である。
【図９】上部パネルの組付け工程を示す要部の側面図である。
【図１０】上部パネルの組付け状態を示す要部の側面図である。
【図１１】図７におけるＡ部の拡大斜視図である。
【図１２】図７におけるＢ部の拡大斜視図である。
【図１３】図８におけるＣ部の拡大斜視図である。
【発明を実施するための形態】
【００２６】
以下、本発明の実施形態について図面を参照しながら説明する。
【００２７】
図１は、本発明の一実施形態に係るレンジフード１を備えたシステムキッチンの概略正面図であり、図２は、図１のレンジフード１の斜視図であり、図３は、化粧パネルを分解した状態のレンジフード１の斜視図である。
【００２８】
この例のシステムキッチンでは、図１に示すようにレンジ台２がシンク台３と調理台４の間に配置され、このレンジ台２の上方には、レンジフード１が、左右の吊り戸棚５，６の間に挟まれて設置されている。
【００２９】
レンジフード１は、図２，図３に示すように、排気用ファン（図示せず）を内装した矩形箱形の本体ハウジング１１の下部に、調理中に発生する煙や湯気などの排気を吸引捕集する扁平なフードケース１２が、レンジ台２の加熱部を上方から覆うように前方突出状態で連結された構造となっている。フードケース１２で捕集された排気が、本体ハウジング１１に接続される図示されていない排気ダクトを介して屋外に導かれ排出されるようになっている。
【００３０】
本体ハウジング１１の前部左右両側には、フードケース１２を介して縦長の支持枠１３が立設固定されており、左右の支持枠１３の前面にフードケース１２と同幅の化粧パネル１４が取り付けられる。
【００３１】
各支持枠１３は、その横外側面がフードケース１２の横外側面と一致するようにフードケース１２の上面に立設固定された下部支持枠１３Ｌと、これに対して上下にスライド可能に内嵌支持された上部支持枠１３Ｕとからなる。上部支持枠１３Ｕの上下複数の連結位置を選択して固定することによって、上部支持枠１３Ｕの高さを調節できる構造となっている。左右の各支持枠１３は、左右の吊り戸棚５，６の奥行き寸法が小さい場合には、前面の化粧パネル１４と吊り戸棚５，６との間に生じる側面のすき間を塞ぐ機能を有しており、塞ぎ板とも呼称される。
【００３２】
本体ハウジング１１の前面を覆う化粧パネル１４は、幕板とも呼称され、図６に示すように、下端辺と左右両端辺が屈折補強された下部パネル１４Ｌと、上端辺と左右両端辺が屈折補強された上部パネル１４Ｕとからなる。この化粧パネル１４は、下部パネル１４Ｌに、上部パネル１４Ｕが上下スライド可能に差し込み内嵌され、化粧パネル１４全体が上下にスライド伸縮可能に構成されている。
【００３３】
上部パネル１４Ｕの上部が、図３及び図５に示される支持枠１３の上部に備えた上方連結部１５に、以下に示す上方係止手段によって前面から挿抜操作可能に連結支持される。
【００３４】
この上方係止手段は、図３及び図９に示すように、上部パネル１４Ｕにおける左右両端部から後ろ向き片持ち状に突出された上方係止片１６と、上部支持枠１３Ｕの上方連結部１５とを備えている。
【００３５】
上方係止片１６は、厚板材を屈曲して形成されており、上部パネル１４Ｕの後端縦辺に沿って備えられた内折り辺１４Ｕａの上部にネジ連結固定されている。上方連結部１５は、上部支持枠１３Ｕの前端縦辺に沿って備えられた内折り辺１３Ｕａの一部を大きく屈折して一体連設されている。
【００３６】
また、下部パネル１４Ｌの上部が、支持枠１３の上下中間部位に備えた下方連結部１７に、以下に示す下方係止手段によって上下方向から挿抜操作可能に連結支持される。
【００３７】
すなわち、下方係止手段は、図７、図１１及び図１２に示すように、下部パネル１４Ｌにおける左右両端の上部から後ろ向き片持ち状に突出された下方係止片１８と、下部支持枠１３Ｌの上部に設けた下方連結部１７とを備えている。
【００３８】
下方係止片１８は、下部パネル１４Ｌにおける内折り辺１４Ｌａの一部を屈折して後方に突出されている。下方連結部１７は、下部支持枠１３Ｌの前端縦辺に沿って備えられた内折り辺１３Ｌａの一部を切り出し延出して一体連設されている。
【００３９】
レンジフード１は以上のように構成されており、次に、このレンジフード１の設置手順を説明する。
【００４０】
先ず、図３に示される本体ハウジング１１の上面に備えた取っ手２０を用いて持上げ、厨房奥壁面の所定高さ位置に取付け固定する。この場合、予め、奥壁面にフック付きの取付けブラケット（図示せず）を位置決め固定しておき、本体ハウジング１１を、取付けブラケットのフックに係合させる。この状態で、本体ハウジング１１の左右上部奥端の連結金具２１及び左右下部奥端の図示しない連結金具を介して厨房奥壁面に取付け固定する。
【００４１】
次に、レンジフード１に対して排気ダクトの接続処理、電源への接続処理、などの付随処理を行う。
【００４２】
その後、左右の各支持枠１３の上部支持枠１３Ｕと下部支持枠１３Ｌとを組合せ、下部支持枠１３Ｌを、本体ハウジング１１に固定する。支持枠１３の横側面には、図５に示すように複数の横向き取付け孔２２が縦列状に予め形成されていると共に、支持枠１３の上端には、縦向き取付け孔２３が予め形成されている。複数の横向き取付け孔２２のいずれかの横向き取付け孔２２を用いて吊り戸棚５，６の横外側面に支持枠１３をネジ連結し、縦向き取付け孔２３を用いて支持枠１３上端部を天井壁Ｗにネジ連結する。なお、レンジフード１の横一側面が厨房の側壁に対向される場合には、この側壁に支持枠１３をネジ連結することができる。
【００４３】
次に、固定された本体ハウジング１１の前方まで、短縮状態にセットした化粧パネル１４を持上げ搬入し、化粧パネル１４を少し傾斜した姿勢にして、上方係止片１６を上方連結部１５の上方に挿入し、化粧パネル１４を垂直姿勢に変更しながら支持枠１３に押し付けてゆく。
【００４４】
化粧パネル１４全体が支持枠１３の前面に当接された状態では、図７及び図１０に示すように、先下がり傾斜姿勢の上方係止片１６の基端内角部が、上方連結部１５の上端に受止め係止され、これによって上部パネル１４Ｕの落下が阻止されるとともに、上部パネル１４Ｕの前方への抜け出しが阻止される。
【００４５】
次に、図２、図４及び図８に示すように、下部パネル１４Ｌを下限まで、すなわち、下部パネル１４Ｌの下端に備えた下部屈折辺１４Ｌｂがフードケース１２の上面に当接するまで下方にスライドさせ、化粧パネル１４の高さを所望の高さに調整する。
【００４６】
下部パネル１４Ｌが下限までスライド下降された状態では、図８及び図１３に示すように、下方係止片１８が下部支持枠１３Ｌの下方連結部１７に直交姿勢で係止され、下部パネル１４Ｌの上部が前方に移動することが阻止される。これによって、上部パネル１４Ｕと下部パネル１４Ｌとがスライド嵌合部位において前方に屈折することがなくなる。
【００４７】
次に、下部パネル１４Ｌにおける下部屈折辺１４Ｌｂを下部支持枠１３Ｌの下部前面に当てつけて、図２に示すように、左右二箇所において下部支持枠１３Ｌの前端縦辺に沿って備えられた内折り辺１３Ｌａの下部にネジ２４で締め込み固定する。これによって、天井壁Ｗからフードケース１２の上面までを覆う化粧パネル１４は、前方に浮き上がることなく、かつ、上下中間部位で前方に屈折することなくしっかりと固定される。
【００４８】
［他の実施形態］
本発明は、以下のような形態で実施することもできる。
【００４９】
（１）上記実施形態では、上部パネル１４Ｕに上方係止片１６を備え、上方固定部である上部支持枠１３Ｕの上部に上方連結部１５を備えているが、これとは逆に、上方固定部である上部支持枠１３Ｕの上部前面に、前上り傾斜する上方係止片１６を前方に向け突設し、この上方係止片１６に上方から係合する上方連結部１５を上部パネル１４Ｕに設ける形態で実施することもできる。
【００５０】
（２）上記実施形態では、下部パネル１４Ｌに下方係止片１８を備え、下方固定部である下部支持枠１３Ｌの上部に下方連結部１７を備えているが、これとは逆に、下方固定部である下部支持枠１３Ｌの上部に下方係止片１８を前方に向け突設し、この下方係止片１８に上方から係合する下方連結部１７を下部パネル１４Ｌの上部に設ける形態で実施することもできる。
【００５１】
（３）スライド下降させた下部パネル１４Ｌの下部を、上記した下方係止手段と同様な係止手段を用いて下部支持枠１３Ｌの下部に係止連結することもできる。
【００５２】
この実施形態によると、下部パネル１４Ｌの上部及び下部をそれぞれ下部支持枠１３Ｌに係止連結して、下部パネル１４Ｌ全体を前方に浮き上がることなく支持することができ、特には下部パネル１４の下部を支持枠１３の下部にネジ連結する必要がなくなり、更に施工性が向上する。
【００５３】
（４）レンジフード１の横一側あるいは両横側に吊り戸棚や厨房の側壁が無く開放されている場合には、一方あるいは左右両方の支持枠１３を、レンジフード１が連結される奥壁にまで及ぶ前後幅の大きいものにし、この幅広の支持枠１３を、レンジフード１の横側を覆うサイドパネルとしても利用する仕様とすることもできる。
【００５４】
（５）上部パネル１４Ｕを係止連結する上方固定部は、本体ハウジング１１の前部左右に立設された支持枠１３に限られるものではなく、レンジフード１に隣接する吊り戸棚の横側面、あるいは、天井壁Ｗあるいは側壁を上方固定部として利用することもできる。
【符号の説明】
【００５５】
１１                本体ハウジング
１３                支持枠
１３Ｌ              下部支持枠
１３Ｕ              上部支持枠
１４                化粧パネル
１４Ｌ              下部パネル
１４Ｕ              上部パネル
１５                上方連結部
１６                上方係止片
１７                下方連結部
１８                下方係止片
【図１】
2019011894.tif 000003
【図２】
2019011894.tif 000004
【図３】
2019011894.tif 000005
【図４】
2019011894.tif 000006
【図５】
2019011894.tif 000007
【図６】
2019011894.tif 000008
【図７】
2019011894.tif 000009
【図８】
2019011894.tif 000010
【図９】
2019011894.tif 000011
【図１０】
2019011894.tif 000012
【図１１】
2019011894.tif 000013
【図１２】
2019011894.tif 000014
【図１３】
2019011894.tif 000015